【事件の表示】
　平成８年特許願第９５７４３号「ＧＭ−ＣＳＦの産生方法」拒絶査定に対する審判事件［平成９年１月７日出願公開、特開平９−２７１］について、次のとおり審決する。
【結　論】
　本件審判の請求は、成り立たない。
【理　由】
〔１〕本願は、1985年3月19日（優先権主張1984年3月21日、米国）を国際出願日とする特願昭60-501426号をもとの出願とし平成8年4月17日に分割してなされた出願であって、その請求の範囲第１〜４項は審判請求の際の平成8年4月17日付手続補正書により補正され、そのうちの第１項の記載は下記の通りである。（以下、一応「本件発明」という。）
　
「【請求項１】宿主内で機能するプロモーターフラグメントと、顆粒球・マクロファージ・コロニー刺激因子（GM-CSF）をコードするDNAセグメント（ただし、当該DNAセグメントはGM-CSF・DNAが宿主内で非天然GM-CSF蛋白として発現されるように上記プロモータと共に配向されている。）とを含む発現ベクターによって形質転換された宿主細胞を培養することからなるGM-CSFの産生方法であって、
  前記DNAセグメントは、天然源、合成源、または半合成源に由来し、登録番号ATCC53032で同定される微生物が保持している組換えプラスミドpGM37のDNA挿入物であって、5’から3’の方向に以下に示すDNA配列を有するDNA挿入物、
ATAATTGTTACCCGGCCTTGGAAGCATGTAGAGGCC
ATCAAAGAAGCCCTAAACCTCCTGGATGACATGCCT
GTCACGTTGAATGAAGAGGTAGAAGTCGTCTCTAAC
GACTTCTCCTTCAAGAAGCTAACATGTGTGCAGACC
CGCCTGAAGATATTCGAGCAGGGTCTACGGGGCAAT
TTCACCAAACTCAAGGGCGCCTTGAACATGACAGCC
AGCTACTACCAGACATACTGC(T)CCCCCAACTCCG
GAAACGGACTGTGAAACACAAGTTACCACCTATGCG
GATTTCATAGACAGCCTTAAAACCTTTCTGACTGAT
ATCCCCTTTGAATGCAAAAAACCAA(G)GCCAAAAA
TGA（ただし上記配列中（）内の塩基は前の塩基と置換可能であることを示す）、
  または、登録番号ATCC53036で同定される微生物が保持している組換えプラスミドpGM38のDNA挿入物であって、5’から3’の方向に以下に示すDNA配列を有するDNA挿入物
ATAATTGTTACCCGGCCTTGGAAGCATGTAGAGGCC
ATCAAAGAAGCCCTAAACCTCCTGGATGACATGCCT
GTCACGTTGAATGAAGAGGTAGAAGTCGTCTCTAAC
GAGTTCTCCTTCAAGAAGCTAACATGTGTGCAGACC
CGCCTGAAGATATTCGAGCAGGGTCTACGGGGCAAT
TTCACCAAACTCAAGGGCGCCTTGAACATGACAGCC
AGCTACTACCAGACATACTGC(T)CCCCCAACTCCG
GAAACGGACTGTGAAACACAAGTTACCACCTATGCG
GATTTCATAGACAGCCTTAAAACCTTTCTGACTGAT
ATCCCCTTTGAATGCAAAAAACCAA(G)GCCAAAAA
TGAGGAAGCCCAGGCCAGCTCTGAATCCAGCTTCTC
AGACTGCTGCTTTTGTGCCTGCGTAATGAGCCAAGA
ACTTGGAATTTCTGCCTTAAAGGGACCAAGAGATGT
GGCACAGCCACAGTTGGAAGGCAGTATAGCCCTCTG
AAAACGCTA(G)ACTCAGCTTGGACAGCGGAAGACA
AACGAGAGATATTTTCTACTGATAGGGACCATTATA
TTTATTTATATATTTATATTTTTTAAATATTATTTA
TTTATTTATTTATTTTTGCAACTCTATTTATTGAGA
ATGTCTTACCAGAATAATAAATTATTAAAACTTTAA
AAAAAAAAAAAAAAAAAA．（ただし上記配列中（）内の塩基は前の塩基と置換可能であることを示す）；
のいずれかから選択された前記DNA挿入物にハイブリダイズし、GM-CSFをコードするDNA配列を含むことを特徴とするGM-CSFの産生方法。」
　
　以下、上記塩基配列のうち前者を「配列１」、後者を「配列２」という。
　
〔２〕ここで、本件発明はGM-CSFの産生方法に係る発明であり、当該GM-CSFとしてはマウス以外のヒト等の哺乳類GM-CSFも含まれることから、まず、そのうちの典型的なヒトGM-CSFの産生方法に関する発明について検討する。
　
　本件明細書中にGM-CSF遺伝子のDNA配列に関連して具体的に記載されているのは、マウス肺由来cDNAライブラリーから得られたクローンpGM37およびpGM38をもとに「配列１」および「配列２」が決定され、当該pGM38がマウスGM-CSFのmRNAにハイブリダイズすることが確認されたことのみである。
  そして、「この発明のDNA分子は，ヒトの顆粒球およびマクロファージの産生に使用するための等価ヒトGM-CSFに対する遺伝子配列を単離するプローブとして使用できる。」（【0005】）および、「ここに記載するハイブリッドDNA分子も，他の哺乳類のDNAライブラリーから関連遺伝子配列を検出または分離するためのプローブとして有用である。」（【0015】）の記載からみて、「配列１」「配列２」は明らかにヒトGM-CSFをコードするものではなく、ヒトGM-CSF遺伝子用のプローブとしての有用性が期待されるDNA配列でしかない。
　また、本件明細書の実施例として記載されるマウス肺からマウスGM-CSFのmRNAを取得するための操作は、細胞内毒素を注射した後に肺を摘出するという極めて過酷な条件であるから、ヒトGM-CSFのmRNAの採取に適用することはできず、当該手法に代替可能なヒトGM-CSFのmRNA採取源の具体的な開示もない。しかも、少なくとも本件優先権主張日前には、生物種を越えたクロスハイブリダイゼーションが機械的に、かつ確実に成功するといえるほどの技術的背景はなかったから、「配列１」もしくは「配列２」がマウスGM-CSF遺伝子のDNA配列とほぼ一致していたとしても、当該配列をプローブとして用いてヒトGM-CSF遺伝子を確実に獲得できることが技術常識であったということはできない。
　してみれば、本件明細書にはヒトGM-CSFについては、その遺伝子についてすら実質的に開示されているとはいえないばかりか、そもそもマウスGM-CSFについての形質転換細胞による発現例もないのであるから、ヒトGM-CSF遺伝子を含む発現ベクターを用いて形質転換した宿主細胞から産生することなど開示されているはずもない。
　  
〔３〕以上のとおりであるから、本件明細書中には、請求の範囲第１項における記載事項を必須の構成とする発明のうち、少なくともマウス以外の哺乳類のGM-CSFを産生する方法の発明についての開示がないとするのが相当である。
　
〔４〕したがって、他の請求の範囲各項における記載事項を必須の構成とする発明に関する明細書中の記載を検討するまでもなく、本願は、特許第３６条第３項および第４項に規定する要件を満たしていないから、拒絶されるべきものである。　
　よって、結論のとおり審決する。